【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
通信装置であって、
記憶している情報を保持する記憶保持処理を、外部から指示を受けることにより実行する通常リフレッシュ状態と、前記記憶保持処理を、前記外部から指示を受け付けることなく実行するセルフリフレッシュ状態のうちいずれかの状態で動作する所定のメモリと、
電力を供給する電源と、
前記所定のメモリにアクセスすることで、前記ネットワークを介して受信する情報及び前記所定のメモリが記憶する情報に基づく処理を実行する第１プロセッサーと、前記所定のメモリにアクセスすることで、前記第１プロセッサーが実行する処理と異なり、且つ前記所定のメモリが記憶する情報に基づく処理を実行する第２プロセッサーと、を含む複数のプロセッサーと、を有し、
前記第１プロセッサー及び前記第２プロセッサーは、前記電源から電力の供給を受け付け、前記所定のメモリにアクセスすることで処理を実行する第１の状態と、前記電源から電力の供給を受け付けるが前記所定のメモリにアクセスせずいずれの処理も実行しない第２の状態と、前記電源から電力の供給を受け付けない第３の状態と、を含む複数の状態のうちいずれかであり、
前記通信装置がネットワークに接続している場合、前記第１プロセッサーは、前記第３の状態とならず、前記第１の状態及び前記第２の状態を含む複数の状態のうちいずれかの状態であり、前記第２プロセッサーは、前記第３の状態とならず、前記第１の状態及び前記第２の状態を含む複数の状態のうちいずれかの状態であり、
前記通信装置がネットワークに接続していない場合、前記第１プロセッサーは、前記複数の状態のうちいずれかの状態であり、前記第２プロセッサーは、前記複数の状態のうちいずれかの状態であり、
前記通信装置がネットワークと接続している場合は、前記第１プロセッサー及び前記第２プロセッサーが前記第２の状態である状態で、前記所定のメモリが前記セルフリフレッシュ状態で動作し、
前記通信装置がネットワークと接続していない場合は、前記第１プロセッサーが第３の状態であり、且つ前記第２プロセッサーが前記第２の状態である状態で、前記所定のメモリが前記セルフリフレッシュ状態で動作し、
前記所定のメモリが前記通常リフレッシュ状態で動作している場合の前記通信装置の消費電力は、前記所定のメモリが前記セルフリフレッシュ状態で動作している場合の前記通信装置の消費電力より大きいことを特徴とする通信装置。
【請求項２】
前記第１プロセッサーが実行する処理は、ネットワーク上に流れるパケットの処理、ネットワークを介してデータを受信する処理のうち少なくとも１つであることを特徴とする請求項１に記載の通信装置。
【請求項３】
前記第２プロセッサーが実行する処理は、ジョブの処理、前記通信装置の設定を行う処理、前記通信装置が備える表示手段に情報を表示させる処理のうち少なくとも１つであることを特徴とする請求項１又は２に記載の通信装置。
【請求項４】
前記複数のプロセッサーのうち少なくとも１つは、前記通信装置の備える記録剤によって、前記通信装置の備える記録媒体上に画像を印刷する印刷手段を制御することを特徴とする請求項１乃至３のいずれか１項に記載の通信装置。
【請求項５】
前記複数のプロセッサーにクロックを供給するクロック生成部をさらに有し、
前記通信装置がネットワークと接続している場合は、前記第１プロセッサー及び前記第２プロセッサーが前記第２の状態である状態で、前記第１プロセッサー及び前記第２プロセッサーに第１の周波数のクロックが供給され、前記通信装置がネットワークと接続していない場合は、前記第１プロセッサーが第３の状態であり、且つ前記第２プロセッサーが前記第２の状態である状態で、前記第１プロセッサー及び前記第２プロセッサーに前記第１の周波数より低い第２の周波数のクロックが供給されることを特徴とする請求項１乃至４のいずれか１項に記載の通信装置。
【請求項６】
前記複数のプロセッサーは、さらに、前記所定のメモリにアクセスすることで、前記通信装置が有する表示部に表示させる画面を制御する処理を実行する第３プロセッサーを含み、
前記通信装置がネットワークと接続している場合は、前記第１プロセッサー、前記第２プロセッサー及び前記第３のプロセッサーが前記第２の状態である状態で、前記所定のメモリが前記セルフリフレッシュ状態で動作し、前記通信装置がネットワークと接続していない場合は、前記第１プロセッサーが第３の状態であり、且つ前記第２プロセッサー及び前記第３プロセッサーが前記第２の状態である状態で、前記所定のメモリが前記セルフリフレッシュ状態で動作することを特徴とする請求項１乃至５のいずれか１項に記載の通信装置。
【請求項７】
前記所定のメモリの物理層を制御し、前記電源から電力の供給を受け付けるＰＨＹをさらに有し、
前記ＰＨＹは、前記電源から電力の供給を受け付けるＯＮ状態と、前記電源から電力の供給を受け付けないＯＦＦ状態のうちいずれかであり、
前記通信装置がネットワークに接続している場合、前記ＰＨＹは、前記ＯＦＦ状態とならず、前記ＯＮ状態であり、前記通信装置がネットワークに接続していない場合、前記ＰＨＹは、前記ＯＮ状態及び前記ＯＦＦ状態のうちいずれかの状態である、
前記通信装置がネットワークと接続している場合は、前記第１プロセッサー及び前記第２プロセッサーが前記第２の状態である状態で、前記ＰＨＹは、前記ＯＮ状態であり、前記通信装置がネットワークと接続していない場合は、前記第１プロセッサーが第３の状態であり、且つ前記第２プロセッサーが前記第２の状態である状態で、前記ＰＨＹは、前記ＯＦＦ状態であることを特徴とする請求項１乃至６のいずれか１項に記載の通信装置。
【請求項８】
前記通信装置は、ネットワークとの接続が有効な有効状態と、ネットワークとの接続が無効な無効状態のうちいずれかの状態で動作し、
前記第１プロセッサーは、処理の要求を受け付けておらず、且つ前記通信装置が前記有効状態で動作していることに基づいて、前記第１状態から前記第２状態に遷移し、処理の要求を受け付けておらず、且つ前記通信装置が前記無効状態で動作していることに基づいて、前記第１状態から前記第３状態に遷移することを特徴とする請求項１乃至７のいずれか１項に記載の通信装置。
【請求項９】
前記所定のメモリはＤｙｎａｍｉｃ  Ｒａｎｄｏｍ  Ａｃｃｅｓｓ  Ｍｅｍｏｒｙであることを特徴とする請求項１乃至８のいずれか１項に記載の通信装置。
【請求項１０】
記憶している情報を保持する記憶保持処理を、外部から指示を受けることにより実行する通常リフレッシュ状態と、前記記憶保持処理を、前記外部から指示を受け付けることなく実行するセルフリフレッシュ状態のうちいずれかの状態で動作する所定のメモリと、
電力を供給する電源と、
前記所定のメモリにアクセスすることで、前記ネットワークを介して受信する情報及び前記所定のメモリが記憶する情報に基づく処理を実行する第１プロセッサーと、前記所定のメモリにアクセスすることで、前記第１プロセッサーが実行する処理と異なり、且つ前記所定のメモリが記憶する情報に基づく処理を実行する第２プロセッサーと、を含む複数のプロセッサーと、を有し、
前記第１プロセッサー及び前記第２プロセッサーは、前記電源から電力の供給を受け付け、前記所定のメモリにアクセスすることで処理を実行する第１の状態と、前記電源から電力の供給を受け付けるが前記所定のメモリにアクセスせずいずれの処理も実行しない第２の状態と、前記電源から電力の供給を受け付けない第３の状態と、を含む複数の状態のうちいずれかである通信装置の制御方法であって、
前記通信装置がネットワークに接続している場合、前記第１プロセッサーを、前記第３の状態にせず、前記第１の状態及び前記第２の状態を含む複数の状態のうちいずれかの状態にし、前記第２プロセッサーを、前記第３の状態にせず、前記第１の状態及び前記第２の状態を含む複数の状態のうちいずれかの状態にするよう制御する第１制御ステップと、
前記通信装置がネットワークに接続していない場合、前記第１プロセッサーを、前記複数の状態のうちいずれかの状態にし、前記第２プロセッサーを、前記複数の状態のうちいずれかの状態にするよう制御する第２制御ステップと、
前記通信装置がネットワークと接続している場合は、前記第１プロセッサー及び前記第２プロセッサーが前記第２の状態である状態で、前記所定のメモリを前記セルフリフレッシュ状態で動作するよう制御する第３制御ステップと、
前記通信装置がネットワークと接続していない場合は、前記第１プロセッサーが第３の状態であり、且つ前記第２プロセッサーが前記第２の状態である状態で、前記所定のメモリを前記セルフリフレッシュ状態で動作するよう制御する第４制御ステップと、を有し、
前記所定のメモリが前記通常リフレッシュ状態で動作している場合の前記通信装置の消費電力は、前記所定のメモリが前記セルフリフレッシュ状態で動作している場合の前記通信装置の消費電力より大きいことを特徴とする制御方法。
【請求項１１】
記憶している情報を保持する記憶保持処理を、外部から指示を受けることにより実行する通常リフレッシュ状態と、前記記憶保持処理を、前記外部から指示を受け付けることなく実行するセルフリフレッシュ状態のうちいずれかの状態で動作する所定のメモリと、
電力を供給する電源と、
前記所定のメモリにアクセスすることで、前記ネットワークを介して受信する情報及び前記所定のメモリが記憶する情報に基づく処理を実行する第１プロセッサーと、前記所定のメモリにアクセスすることで、前記第１プロセッサーが実行する処理と異なり、且つ前記所定のメモリが記憶する情報に基づく処理を実行する第２プロセッサーと、を含む複数のプロセッサーと、を有し、
前記第１プロセッサー及び前記第２プロセッサーは、前記電源から電力の供給を受け付け、前記所定のメモリにアクセスすることで処理を実行する第１の状態と、前記電源から電力の供給を受け付けるが前記所定のメモリにアクセスせずいずれの処理も実行しない第２の状態と、前記電源から電力の供給を受け付けない第３の状態と、を含む複数の状態のうちいずれかである通信装置のコンピュータに、
前記通信装置がネットワークに接続している場合、前記第１プロセッサーを、前記第３の状態にせず、前記第１の状態及び前記第２の状態を含む複数の状態のうちいずれかの状態にし、前記第２プロセッサーを、前記第３の状態にせず、前記第１の状態及び前記第２の状態を含む複数の状態のうちいずれかの状態にするよう制御する第１制御ステップと、
前記通信装置がネットワークに接続していない場合、前記第１プロセッサーを、前記複数の状態のうちいずれかの状態にし、前記第２プロセッサーを、前記複数の状態のうちいずれかの状態にするよう制御する第２制御ステップと、
前記通信装置がネットワークと接続している場合は、前記第１プロセッサー及び前記第２プロセッサーが前記第２の状態である状態で、前記所定のメモリを前記セルフリフレッシュ状態で動作するよう制御する第３制御ステップと、
前記通信装置がネットワークと接続していない場合は、前記第１プロセッサーが第３の状態であり、且つ前記第２プロセッサーが前記第２の状態である状態で、前記所定のメモリを前記セルフリフレッシュ状態で動作するよう制御する第４制御ステップと、を実行させ、
前記所定のメモリが前記通常リフレッシュ状態で動作している場合の前記通信装置の消費電力は、前記所定のメモリが前記セルフリフレッシュ状態で動作している場合の前記通信装置の消費電力より大きいことを特徴とするプログラム。
【手続補正２】
【補正対象書類名】明細書
【補正対象項目名】０００８
【補正方法】変更
【補正の内容】
【０００８】
そこで、上記目的を達成するために、本発明の通信装置は、記憶している情報を保持する記憶保持処理を、外部から指示を受けることにより実行する通常リフレッシュ状態と、前記記憶保持処理を、前記外部から指示を受け付けることなく実行するセルフリフレッシュ状態のうちいずれかの状態で動作する所定のメモリと、電力を供給する電源と、前記所定のメモリにアクセスすることで、前記ネットワークを介して受信する情報及び前記所定のメモリが記憶する情報に基づく処理を実行する第１プロセッサーと、前記所定のメモリにアクセスすることで、前記第１プロセッサーが実行する処理と異なり、且つ前記所定のメモリが記憶する情報に基づく処理を実行する第２プロセッサーと、を含む複数のプロセッサーと、を有し、前記第１プロセッサー及び前記第２プロセッサーは、前記電源から電力の供給を受け付け、前記所定のメモリにアクセスすることで処理を実行する第１の状態と、前記電源から電力の供給を受け付けるが前記所定のメモリにアクセスせずいずれの処理も実行しない第２の状態と、前記電源から電力の供給を受け付けない第３の状態と、を含む複数の状態のうちいずれかであり、前記通信装置がネットワークに接続している場合、前記第１プロセッサーは、前記第３の状態とならず、前記第１の状態及び前記第２の状態を含む複数の状態のうちいずれかの状態であり、前記第２プロセッサーは、前記第３の状態とならず、前記第１の状態及び前記第２の状態を含む複数の状態のうちいずれかの状態であり、前記通信装置がネットワークに接続していない場合、前記第１プロセッサーは、前記複数の状態のうちいずれかの状態であり、前記第２プロセッサーは、前記複数の状態のうちいずれかの状態であり、前記通信装置がネットワークと接続している場合は、前記第１プロセッサー及び前記第２プロセッサーが前記第２の状態である状態で、前記所定のメモリが前記セルフリフレッシュ状態で動作し、前記通信装置がネットワークと接続していない場合は、前記第１プロセッサーが第３の状態であり、且つ前記第２プロセッサーが前記第２の状態である状態で、前記所定のメモリが前記セルフリフレッシュ状態で動作し、前記所定のメモリが前記通常リフレッシュ状態で動作している場合の前記通信装置の消費電力は、前記所定のメモリが前記セルフリフレッシュ状態で動作している場合の前記通信装置の消費電力より大きいことを特徴とする。
【手続補正３】
【補正対象書類名】明細書
【補正対象項目名】００７９
【補正方法】変更
【補正の内容】
【００７９】
Ｓ８０６では、ＣＰＵ２０２は、遷移条件３２２が満たされたか否かを判定する。このとき、ＣＰＵ２０２は、例えば、タイマーがカウントしている経過時間（Ｔ１）が、遷移条件３２２の設定時間を超えたか否かを判定する。なお、タイマーが減算方式で経過時間（Ｔ１）をカウントしている場合は、ＣＰＵ２０２は、経過時間（Ｔ１）が０になったか否かを判定しても良い。また、タイマーがＴＣＵの発するパルスの回数をカウントしている場合は、ＣＰＵ２０２は、遷移条件３２２の設定時間に相当する回数のパルスを受信したか否かをカウントしても良い。ＣＰＵ２０２は、遷移条件３２２が満たされたと判定した場合、Ｓ８０７の処理を行い、遷移条件３２２が満たされていないと判定した場合、再びＳ８０２の処理を行う。
【手続補正４】
【補正対象書類名】明細書
【補正対象項目名】０１２０
【補正方法】変更
【補正の内容】
【０１２０】
Ｓ６１８では、ＣＰＵ２０２は、Ｓ６０６と同様、遷移条件３１６が満たされたか否かを判定する。ＣＰＵ２０２は、遷移条件３１６が満たされたと判定した場合、Ｓ６１９の処理を行い、遷移条件３１６が満たされていないと判定した場合、再びＳ６１１の処理を行う。